(57)【特許請求の範囲】
【請求項１】
非接触式ＩＣカードに対してデータの読み取りまたは書き込みを行う非接触式ＩＣカード用データ処理装置であって、
前記非接触式ＩＣカード、及びカードケースに収容した状態の前記非接触式ＩＣカードを保持可能な保持部を内部に有するカードホルダと、
該カードホルダの内部に保持された前記非接触式ＩＣカードと前記データの通信を行うアンテナ部とを備え、
前記カードホルダのホルダ本体が、前記非接触式ＩＣカード、及びカードケースの挿入口を閉止する閉止状態と当該閉止状態から傾斜して前記挿入口を開放する開放状態との間で回転移動可能であるとともに、
前記ホルダ本体の底部には、水平面に対して傾斜した傾斜面として形成され、かつ、内部に投入される前記非接触式ＩＣカードまたは前記カードケースの下端部の少なくとも一部を支持する位置に姿勢矯正部が設けられており、
前記ホルダ本体の回転移動に伴って前記姿勢矯正部も回転移動して水平面に対する傾斜角度を変更するように構成したことを特徴とする非接触式ＩＣカード用データ処理装置。
【請求項２】
請求項１に記載の非接触式ＩＣカード用データ処理装置において、
前記姿勢矯正部は、傾斜下端が前記アンテナ部側に位置するように傾斜していることを特徴とする非接触式ＩＣカード用データ処理装置。
【請求項３】
請求項１または請求項２に記載の非接触式ＩＣカード用データ処理装置において、
前記姿勢矯正部の傾斜下端には、前記非接触式ＩＣカード及び前記カードケースの少なくとも一部を挿入可能な溝部が形成されていることを特徴とする非接触式ＩＣカード用データ処理装置。
【請求項４】
請求項３に記載の非接触式ＩＣカード用データ処理装置において、
前記姿勢矯正部の内、前記傾斜下端を含む少なくとも一部は、弾性部材によって形成され、該弾性部材が弾性的に変形することで、前記溝部に挿入された前記ＩＣカード及び前記カードケースを挟持可能であることを特徴とする非接触式ＩＣカード用データ処理装置。
【請求項５】
請求項１から請求項４のいずれかに記載の非接触式ＩＣカード用データ処理装置において、
前記ホルダ本体が前記挿入口を閉止する閉止状態において前記アンテナ部に近接配置される通信位置となり、前記挿入口を開放する開放状態において前記非接触式ＩＣカード及び前記カードケースを投入可能な投入位置となることを特徴とする非接触式ＩＣカード用データ処理装置。
【発明の詳細な説明】
【技術分野】
【０００１】
本発明は、非接触式ＩＣカードに対してデータの読み取りまたは書き込みを行う非接触式ＩＣカード用データ処理装置に関する。
【背景技術】
【０００２】
近年、非接触式ＩＣカード（記憶回路や制御回路等の集積回路を内蔵し、データの交換を非接触で行うことができるキャッシュカード、クレジットカード、プリペイドカードあるいは定期券等）の開発が進み、多くの分野で実用化されていて、特に、駅の改札で使用される定期券やプリペイドカードとして広く使用されている。
【０００３】
一般にカード類は、カードケースの中に収容された状態で利用者に携帯されている場合があるが、非接触式ＩＣカードでは非接触でデータの読み書きを行うことが可能であることから、カードケースに収容した状態のままでも使用することが可能である。例えば、定期券として使用されている非接触式ＩＣカードなどではパスケースの中に収容されていることが多い。そして、駅の改札等では定期券等の非接触式ＩＣカードをパスケースに収容したままで、改札ゲートのアンテナ部にかざす。すると、瞬時に非接触式ＩＣカードに対してデータの読み取り及び書き込みが行われ、改札を通過できる。すなわち、従来の磁気式定期券のように定期券をパスケースから取り出す必要がなく、利用者の利便性向上が図られている。
【０００４】
ところで、非接触式ＩＣカードは、プリペイドカードや定期券などの本来の機能だけではなく電子マネーの記録媒体としても利用され、非接触式ＩＣカード用データ処理装置によって現金及び預金を積み増しが行われている。ここで、非接触式ＩＣカードへの電子マネーの積み増し作業においては、非接触式ＩＣカードのデータの読み取り及び書き込みを確実に行うために一定時間を要し、データの交換を行うアンテナ部に対して非接触式ＩＣカードを所定位置で保持しておく必要がある。このため、電子マネーの記録媒体として使用する非接触式ＩＣカードと対応するデータ処理装置として、非接触式ＩＣカードを挿入可能なカード受け入れ間隙と、このカード受け入れ間隙に挿入された非接触式ＩＣカードに対してデータの読み取り及び書き込みが可能なアンテナ部とを備えるものが提案されている（例えば、特許文献１、２参照）。
【特許文献１】特開平１１−２８２９８５号公報
【特許文献２】特許第３３３８０１８号公報
【発明の開示】
【発明が解決しようとする課題】
【０００５】
しかしながら、特許文献１、２の非接触式ＩＣカード用データ処理装置において、カード受け入れ間隙は、非接触式ＩＣカードを所定位置で一定時間保持するために、非接触式ＩＣカードに対して僅かに大きい程度の寸法に設定する必要があった。このため、カードケースに収容した状態で非接触式ＩＣカードを携帯している利用者は、そのままではカード受け入れ間隙に非接触式ＩＣカードを挿入することができず、カードケースから取り出す必要があり非常に不便であった。特に、定期券等として使用される非接触式ＩＣカードは、通常の使用時にはパスケースから取り出す必要がないにもかかわらず、電子マネーの積み増しなどで使用する時にはパスケースから非接触式ＩＣカードを取り出す必要性が生じ、利用者にとって非常に面倒な作業であった。そこで、カード受け入れ間隙の寸法をカードケースの寸法に対応させて、カードケースに収容したまま挿入させることも考えられるが、逆に、カードケースから取り外した状態の非接触式ＩＣカードを所定位置に保持することができなくなり、いずれにおいても利便性の点で問題があった。
【０００６】
この発明は、上述した事情に鑑みてなされたものであって、カードケースに収容した状態か、カードケースから取り外した状態かに係らず、非接触式ＩＣカードを所定位置に保持してデータの読み取りまたは書き込みを確実に行うことが可能な非接触式ＩＣカード用データ処理装置を提案するものである。
【課題を解決するための手段】
【０００７】
上記課題を解決するために、この発明は以下の手段を提案している。
本発明は、非接触式ＩＣカードに対してデータの読み取りまたは書き込みを行う非接触式ＩＣカード用データ処理装置であって、前記非接触式ＩＣカード、及びカードケースに収容した状態の前記非接触式ＩＣカードを保持可能な保持部を内部に有するカードホルダと、該カードホルダの内部に保持された前記非接触式ＩＣカードと前記データの通信を行うアンテナ部とを備え、前記カードホルダのホルダ本体が、前記非接触式ＩＣカード、及びカードケースの挿入口を閉止する閉止状態と当該閉止状態から傾斜して前記挿入口を開放する開放状態との間で回転移動可能であるとともに、前記ホルダ本体の底部には、水平面に対して傾斜した傾斜面として形成され、かつ、内部に投入される前記非接触式ＩＣカードまたは前記カードケースの下端部の少なくとも一部を支持する位置に姿勢矯正部が設けられており、前記ホルダ本体の回転移動に伴って前記姿勢矯正部も回転移動して水平面に対する傾斜角度を変更するように構成したことを特徴としている。
【０００８】
この発明に係る非接触式ＩＣカード用データ処理装置によれば、カードケースに収容された状態でも、カードケースから取り外した状態でも、非接触式ＩＣカードをカードホルダの内部に投入し、保持することが可能である。ここで、カードホルダに投入された非接触式ＩＣカードまたはカードケースは、下端部が姿勢矯正部に当接することで、姿勢矯正部の傾斜に沿って落下しつつ、傾斜方向が姿勢矯正部と平面視略平行となり、姿勢矯正部の傾斜下端となる位置で静止することとなる。このため、非接触式ＩＣカードは、カードケースに収容されているかどうかに係らず、アンテナ部に対する相対的な位置及び向きを略一定とすることができ、データの読み取りまたは書き込みを確実に行うことができる。
【０００９】
なお、前記姿勢矯正部は、傾斜下端が前記アンテナ部側に位置するように傾斜していることが好ましい。
【００１０】
このような構成によれば、姿勢矯正部に当接した非接触式ＩＣカードまたはカードケースは、アンテナ部に向かうようにして姿勢矯正部の傾斜に沿って落下することとなる。このため、アンテナ部に対して非接触式ＩＣカードケースをより近接した位置に配置することができ、データの読み取りまたは書き込みを確実に行うことができる。
【００１１】
また、前記姿勢矯正部の傾斜下端には、前記非接触式ＩＣカード及び前記カードケースの少なくとも一部を挿入可能な溝部が形成されていることが好ましい。
【００１２】
このような構成によれば、姿勢矯正部の傾斜下端まで落下した非接触式ＩＣカードまたはカードケースは、その一部が溝部に挿入された状態となり、より確実に向き及び位置を略一定として保持することができる。このため、データの読み取りまたは書き込みの確実性をさらに向上させることができる。
【００１３】
また、前記姿勢矯正部の内、前記傾斜下端を含む少なくとも一部は、弾性部材によって形成され、該弾性部材が弾性的に変形することで、前記溝部に挿入された前記ＩＣカード及び前記カードケースを挟持可能であることが好ましい。
【００１４】
このような構成によれば、溝部に挿入された非接触式ＩＣカードまたはカードケースは、弾性的に挟持された状態となり、より確実に向き及び位置を略一定として保持することができる。このため、データの読み取りまたは書き込みの確実性をさらに向上させることができる。
【００１５】
また、前記ホルダ本体が前記挿入口を閉止する閉止状態において前記アンテナ部に近接配置される通信位置となり、前記挿入口を開放する開放状態において前記非接触式ＩＣカード及び前記カードケースを投入可能な投入位置となるように構成することがより好ましい。
【００１６】
このような構成によれば、投入位置として、カードケースに収容された状態で、または、取り外した状態で、非接触式ＩＣカードを容易いにカードホルダに投入可能であるとともに、通信位置に移動させることで、カードホルダに保持された非接触式ＩＣカードに対してアンテナ部によって読み取りまたは書き込みをより確実に行うことができる。
【発明の効果】
【００１７】
本発明の非接触式ＩＣカード用データ処理装置によれば、カードホルダの底部に姿勢矯正部を有することで、カードケースに収容した状態か、カードケースから取り外した状態かに係らず、非接触式ＩＣカードを所定位置に保持してデータの読み取りまたは書き込みを確実に行うことができる。
【発明を実施するための最良の形態】
【００１８】
図１から図７は、この発明に係る実施形態を示している。図１は、非接触式ＩＣカード用データ処理装置の一例として、非接触式ＩＣカード用入金機の全体図を示している。図１に示すように、非接触式ＩＣカード用入金機１は、筐体２と、筐体２の前面側に設けられ、非接触式ＩＣカードＰの読み取り、書き込みを行うデータ交換部１０と、紙幣取出口３ａと紙幣挿入口３ｂとで構成された貨幣受渡部３と、所望の金額を指定する操作部４と、領収書を発行する発行部５と、各種表示を行う表示部６とを備え、貨幣受渡部３に投入された紙幣の内、操作部４で指定した金額を非接触式ＩＣカードＰに入金させるものである。
【００１９】
図１から図３に示すように、データ交換部１０は、筐体２の凹部２ａに収納され、非接触式ＩＣカードＰを、内部を保持部として保持することが可能なカードホルダ１１と、筐体２の内部においてカードホルダ１１と対向配置されて非接触式ＩＣカードＰとデータの通信を行うアンテナ部１２とを備えている。図２及び図３に示すように、カードホルダ１１は、上端部に非接触式ＩＣカードＰを投入することが可能な挿入口１３ａが形成された略箱状のホルダ本体１３と、ホルダ本体１３の内部に配置されたブロック１４と、筐体２に対してホルダ本体１３を回転可能に固定する回転支持部１５とを有する。
【００２０】
ホルダ本体１３の内部寸法及び挿入口１３ａの開口寸法は、非接触式ＩＣカードＰを略板状のカードケースＱに収容した状態のまま、投入して内部に収納可能な大きさに設定されている。また、ホルダ本体１３の挿入口１３ａは、背面部１３ｂが上端部において外側に折曲していることで、背面部１３ｂ側に大きく開口するように形成されている。また、ホルダ本体１３の前面部１３ｃ及び背面部１３ｂには、上端部に開口し、下端部に向かって延びる切欠き１３ｄ、１３ｅが形成されている。
【００２１】
また、ホルダ本体１３の下端部は、複数の板状部材１３ｆによって構成されていて、内部から外部まで連通するスリットを形成している。そして、複数の板状部材１３ｆ上には、上記のブロック１４が配置されていて、板状部材１３ｆとブロック１４とによってカードホルダ１１の内部において、非接触式ＩＣカードＰまたはカードケースＱの端部を支持する底部を構成している。ブロック１４は、断面台形状のウレタンなどで形成された弾性部材で、上面１４ａが水平面に対して傾斜した状態となるようにホルダ本体１３内に配置され、上面１４ａによって非接触式ＩＣカードＰまたはカードケースＱの向き及び位置を矯正させる姿勢矯正部１６を構成している。ここで、上面１４ａ、すなわち姿勢矯正部１６は、アンテナ部１２に向かって傾斜していて、傾斜下端１６ａがアンテナ部１２側に位置するように設定されているとともに、傾斜方向がアンテナ部１２対して平面視略直交しているように設定されている。また、ブロック１４の幅は、ホルダ本体１３の前後方向の内部寸法よりも小さく設定されていて、これにより姿勢矯正部１６の傾斜下端１６ａとホルダ本体１３の背面部１３ｂ側内面との間には、傾斜下端１６ａに沿った溝部１７が形成されている。溝部１７の幅は、非接触式ＩＣカードＰの厚さよりも僅かに小さく設定されており、ブロック１４が弾性変形することで、非接触式ＩＣカードＰまたはカードケースＱの挿入に応じて拡幅可能となっている。
【００２２】
また、回転支持部１５は、ホルダ本体１３から下方に張り出した被固定部１３ｇに対してネジ固定されているとともに、軸体１５ａによって筐体２に対して回転可能に固定されている。すなわち、カードホルダ１１のホルダ本体１３は、筐体２の凹部２ａに収容されて挿入口１３ａが閉止状態とされつつアンテナ部１２と近接した通信位置から、挿入口１３ａが外方に露出して挿入口１３ａが開放状態となり非接触式ＩＣカードＰを内部に投入可能となる投入位置まで、軸体１５ａを中心として前後方向に回転移動可能となっている。ここで、ホルダ本体１３の両側面部には、規制部材１３ｈが外側へ張り出すようにして設けられている。規制部材１３ｈは、ホルダ本体１３の回転移動に伴って筐体２の内部に対応して設けられた規制溝２ｂの内部で移動可能となっている。規制溝２ｂの前端は、ホルダ本体１３が投入位置となる時に規制部材１３ｈが当接するように設定されていて、ホルダ本体１３が投入位置よりも前面側に回転移動しないように規制している。
【００２３】
また、図３に示すように、カードホルダ１１において、ホルダ本体１３の両側面部には、係止部材１３ｉが外側へ張り出すように設けられている。一方、筐体２の内部には、カードホルダ１１のホルダ本体１３を上記通信位置で固定するロック機構２０と、カードホルダ１１のホルダ本体１３を通信位置と投入位置との間で回転移動させる開閉機構２１とが設けられている。ロック機構２０は、回転支軸２２ａを中心として回転可能に支持された棒状のロック部材２２と、ロッド部２３ａを進退させてロック部材２２を回転させるロック用ソレノイド２３と、ロック部材２２に付勢力を与えるロック解除用スプリング２４とを有する。ロック部材２２の一端には、ホルダ本体１３の係止部材１３ｉと係合可能な係止爪２２ｂが設けられている。また、ロック部材２２の他端には、ロッド解除用ソレノイド２３のロッド２３ａが接続されているとともに、対向してロック解除用スプリング２４が接続されている。そして、カードホルダ１１のホルダ本体１３が通信位置に配置されている場合において、ロッド部材２２は、ロック用ソレノイド２３が駆動して、ロック解除用スプリング２４に対抗してロッド部２３ａを引き込むことで、係止爪２２ａがホルダ本体１３の係止部材１３ｉと係合した状態を保っている。一方、ロック用ソレノイド２３の駆動を停止させることで、ロック解除用スプリング２４による付勢力によって、ロック部材２２は回転し、係止爪２２ａと係止部材１３ｉとの係合を解除することができる。
【００２４】
また、開閉機構２１は、ロッド部２５ａを進退させてカードホルダ１１のホルダ本体１３を回転させる開閉用ソレノイド２５と、開閉用ソレノイド２５に対抗してホルダ本体１３に付勢力を与える開放用スプリング２６とを有する。開閉用ソレノイド２５のロッド２５ａは、カードホルダ１１の回転支持部１５の下端に接続されていて、また、開放用スプリング２６も回転支持部１５の下端に、開閉用ソレノイド２５と対向して接続されている。そして、ロック機構２０のロック部材２２の係止爪２２ｂとカードホルダ１１のホルダ本体１３の係止部材１３ｉとの係合が解除された状態において、カードホルダ１１のホルダ本体１３は、開閉用ソレノイド２５が駆動して、開放用スプリング２６に対抗してロッド部２５ａを引き込むことで、通信位置に維持される。また、開閉用ソレノイド２５の駆動を停止させることで、開放用スプリング２６の付勢力によって、カードホルダ１１のホルダ本体１３を投入位置まで回転移動させることができる。
【００２５】
次に、この実施形態の非接触式ＩＣカード用入金機１の作用について説明する。図４に示すように、カードホルダ１１のホルダ本体１３は、使用時において、開閉機構２１の開閉用ソレノイド２５の駆動が停止し、開放用スプリング２６の付勢力によって投入位置に維持されている。このため、使用者は、カードケースＱに収容された状態か、または、カードケースＱから取り外した状態か、いずれかの状態を自由に選択して、カードホルダ１１の挿入口１３ａからホルダ本体１３の内部へ自らの非接触式ＩＣカードＰを投入することができる。なお、挿入口１３ａは、背面部１３ｂ側へ広がっているため、非接触式ＩＣカードＰまたはカードケースＱの投入をより容易にしている。ここでは、まず、カードケースＱから取り外し、非接触式ＩＣカードＰのみを投入した場合について説明する。
【００２６】
図５及び図６に示すように、カードホルダ１１のホルダ本体１３の内部に投入された非接触式ＩＣカードＰは、どのような向きであったとしても、下端部である端部Ｐ１の少なくとも一部が姿勢矯正部１６に当接することとなる（位置Ａ）。姿勢矯正部１６に当接した非接触式ＩＣカードＰは、姿勢矯正部１６の傾斜方向に沿って背面側に落下するとともに、姿勢矯正部１６に対して安定的な姿勢になろうとするため、端部Ｐ１が姿勢矯正部１６の傾斜方向に略直交するようになり、非接触式ＩＣカードＰは傾斜方向が姿勢矯正部１６と平面視略平行な状態となる（位置Ｂ）。すなわち、非接触式ＩＣカードＰは、投入時の姿勢に係らず向きを一定に保ったまま姿勢矯正部１６の傾斜に沿って落下し、傾斜下端１６ａに位置決めされることとなる（位置Ｃ）。ここで、傾斜下端１６ａには、溝部１７が形成されていることで、非接触式ＩＣカードＰは、ブロック１４を弾性変形させて、その一部が溝部１７に挿入されて挟持された状態となる。このため、非接触式ＩＣカードＰは、溝部１７に挿入された状態で、特にブロック１４の復元力によって挟持されることで、より確実に向き及び位置を略一定として保持されることとなる。一方、非接触式ＩＣカードＰをカードケースＱに収容した状態で投入した場合も同様に、カードケースＱは、姿勢矯正部１６によって傾斜方向が姿勢矯正部１６と平面視略平行な状態となり、投入時の姿勢に係らず向きを一定に保ったまま、傾斜下端１６ａまで落下する。そして、カードケースＱは、ブロック１４を弾性変形させて、その一部が溝部１７に挿入され、挟持されて、位置決めされた状態となる。
【００２７】
次に、図７に示すように、開閉機構２１の開閉用ソレノイド２５を駆動させてロッド部２５ａを引き込むことで、カードホルダ１１のホルダ本体１３は、通信位置まで回転移動することとなる。そして、ロック機構２０のロック用ソレノイド２３を駆動させてロッド部２３ａを引き込むことで、ロック部材２２は回転し、これにより係止爪２２ａが係止部材１３ｉに係合することになり、カードホルダ１１のホルダ本体１３は通信位置に固定された状態となる。このため、非接触式ＩＣカードＰは、アンテナ部１２に近接した状態で、カードホルダ１１のホルダ本体１３の内部で略一定の向き及び位置で保持され、データの書き込み、及び、読み取りを確実に行うことができる。
【００２８】
なお、データの書き込み、及び、読み取りが完了した後は、ロック機構２０のよるロックを解除し、開閉機構２１によってカードホルダ１１のホルダ本体１３を通信位置から投入位置へ回転移動させることで、カードホルダ１１に収納されている非接触式ＩＣカードＰまたはカードケースＱを取り出すことができる。この際、カードホルダ１１のホルダ本体１３の前面１３ｃ及び背面１３ｂに切欠き１３ｄ、１３ｅが形成されていることで、収容されている非接触式ＩＣカードＰまたはカードケースＱを容易に摘まんで取り出すことができる。
【００２９】
以上のように、本実施形態の非接触式ＩＣカード入金機１では、カードホルダ１１が姿勢矯正部１６を有することで、カードケースＱに収容した状態か、カードケースＱから取り外した状態かに係らず、非接触式ＩＣカードＰを所定位置に保持してデータの読み取り及び書き込みを確実に行うことができる。
【００３０】
なお、本実施形態においては、ブロック１４が弾性部材で形成されていて、溝部１７に挿入される非接触式ＩＣカードＰ及びカードケースＱを弾性的に挟持するものとしたが、これに限るものでは無い。溝部を構成する一部が弾性部材であるものとしても、該弾性部材が弾性変形することで、非接触式ＩＣカードＰ及びカードケースＱを弾性的に挟持することができる。また、溝部が弾性変形しない構成とし、単に非接触式ＩＣカードＰ及びカードケースＱの一部が挿入されるものとしても、溝部によって向き及び位置を確実に略一定として保持することができる。
【００３１】
さらには、溝部１７を有しない構成としても良い。図８は、この実施形態の第１の変形例を示している。図８に示すように、この変形例では、カードホルダ１１のホルダ本体１３の内部に配置されるブロック３０が断面三角形状に形成されていて、上面３０ａによって姿勢矯正部３１を有するのみで、溝部がない構成となっている。このような場合でも、姿勢矯正部３１に当接した非接触式ＩＣカードＰまたはカードケースＱは、傾斜方向が姿勢矯正部３１と平面視略平行となって傾斜下端３１ａまで落下することで、傾斜下端３１ａにおいて向き及び位置を略一定として保持することができ、データの読み取り及び書き込みを確実に行うことができる。しかしながら、上記のように溝部を有することで、非接触式ＩＣカードＰまたはカードケースＱをより安定して保持することができ、より好適である。
【００３２】
また、本実施形態においては、姿勢矯正部１６を構成する傾斜面は、アンテナ部１２と対向するように設けられているものとしたが、これに限るものでは無い。例えば、図９に示すように、姿勢矯正部３５をアンテナ部１２と反対側に傾斜させるようにしても良い。この場合でも、非接触式ＩＣカードＰまたはカードケースＱを姿勢矯正部３５の傾斜下端３５ａにおいて、向き及び位置を略一定として保持することができる。しかしながら、姿勢矯正部をアンテナ部と対向するように傾斜させることによって、アンテナ部１２に非接触式ＩＣカードＰをより近接させて保持させることができ、より好適である。
【００３３】
また、本実施形態においては、姿勢矯正部は、略一定の角度の傾斜面を有するものとしたが、これに限るものではなく、例えば図１０に示す姿勢矯正部３６のように、傾斜方向に沿って傾斜角度を変化させても良いし、複数の傾斜面によって図１１に示す姿勢矯正部３７のように谷形や、図１２に示す姿勢矯正部３８のように山形としても良い。
また、上記いずれにおいても、姿勢矯正部は、ホルダ本体内部に設けられたブロックの一面によって形成されるものとしたが、これに限るものでは無く、ホルダ本体の底面によって形成するものとしても良い。
【００３４】
また、本実施形態においては、カードホルダ１１は、投入位置と通信位置との間で回転移動可能としたが、これに限るものでは無く、スライド移動可能な構成としても同様の効果を奏する。また、カードホルダ１１は、アンテナ部１２と対向して近接する位置で固定されていて、非接触式ＩＣカードＰ及びカードケースＱを挿入可能に常に挿入口１３ａが開口している状態としも良い。
また、本実施形態においては、非接触式ＩＣカード用データ処理装置の一例として、非接触式ＩＣカード用入金機について説明したが、これに限るものでは無く、非接触式ＩＣカードに対してデータの書き込みまたは読み取りの少なくとも一方を行う様々な装置に適用可能である。
【００３５】
以上、本発明の実施形態について図面を参照して詳述したが、具体的な構成はこの実施形態に限られるものではなく、本発明の要旨を逸脱しない範囲の設計変更等も含まれる。  
【図面の簡単な説明】
【００３６】
【図１】この発明の実施形態の非接触式ＩＣカード用入金機の全体図である。
【図２】この発明の実施形態の非接触式ＩＣカード用入金機において、カードホルダの斜視図である。
【図３】この発明の実施形態の非接触式ＩＣカード用入金機において、データ交換部の断面図である。
【図４】この発明の実施形態の非接触式ＩＣカード用入金機において、カードホルダに非接触式ＩＣカードを投入する際の説明図である。
【図５】この発明の実施形態の非接触式ＩＣカード用入金機において、カードホルダに非接触式ＩＣカードを保持した状態の説明図である。
【図６】図５の切断線Ｘ−Ｘにおける断面図である。
【図７】この発明の実施形態の非接触式ＩＣカード用入金機において、非接触式ＩＣカードに対してデータの書き込み及び読み取りを行う際の説明図である。
【図８】この発明の実施形態の第１の変形例の非接触式ＩＣカード用入金機において、データ交換部の断面図である。
【図９】この発明の実施形態の第２の変形例の非接触式ＩＣカード用入金機において、データ交換部の部分断面図である。
【図１０】この発明の実施形態の第３の変形例の非接触式ＩＣカード用入金機において、データ交換部の部分断面図である。
【図１１】この発明の実施形態の第４の変形例の非接触式ＩＣカード用入金機において、データ交換部の部分断面図である。
【図１２】この発明の実施形態の第５の変形例の非接触式ＩＣカード用入金機において、データ交換部の部分断面図である。
【符号の説明】
【００３７】
１  非接触式ＩＣカード用入金機（非接触式ＩＣカード用データ処理装置）
１１  カードホルダ
１２  アンテナ部
１６、３１、３５、３６、３７、３８  姿勢矯正部
１６ａ、３１ａ、３５ａ  傾斜下端
１７  溝部
Ｐ  非接触式ＩＣカード
Ｐ１  端部
Ｑ  カードホルダ
【図１】
0005076689.tif 000002
【図２】
0005076689.tif 000003
【図３】
0005076689.tif 000004
【図４】
0005076689.tif 000005
【図５】
0005076689.tif 000006
【図６】
0005076689.tif 000007
【図７】
0005076689.tif 000008
【図８】
0005076689.tif 000009
【図９】
0005076689.tif 000010
【図１０】
0005076689.tif 000011
【図１１】
0005076689.tif 000012
【図１２】
0005076689.tif 000013